(57)【要約】      （修正有）【課題】放射状スリットの径方向外側端部から裂け目が生じ難い医療用弁体及び医療用コネクタを提供する。【解決手段】医療用弁体６は、ハウジングの開口周縁部に固定される環状の固定部４と前記固定部の径方向内側に位置する弾性変形可能な弁本体５とを有し、前記弁本体の中央部から径方向外側に向けて放射状に延びる３つ以上の部分スリット１４からなる放射状スリット１３が設けられ、前記３つ以上の部分スリットの各々の径方向外側端部１４ａは、前記固定部が前記開口周縁部に固定される前の非固定状態においてＵ字状である。【選択図】図４
0003224170.tif 000002
【実用新案登録請求の範囲】
【請求項１】
ハウジングの開口周縁部に固定される環状の固定部と前記固定部の径方向内側に位置する弾性変形可能な弁本体とを有し、
前記弁本体の中央部から径方向外側に向けて放射状に延びる３つ以上の部分スリットからなる放射状スリットが設けられ、
前記３つ以上の部分スリットの各々の径方向外側端部は、前記固定部が前記開口周縁部に固定される前の非固定状態においてＵ字状である、医療用弁体。
【請求項２】
前記放射状スリットは前記非固定状態において放射状の隙間を有する、請求項１に記載の医療用弁体。
【請求項３】
前記放射状の隙間は、前記固定部が前記ハウジングの前記開口周縁部に固定されることで閉塞される、請求項２に記載の医療用弁体。
【請求項４】
前記弁本体は前記ハウジングの前記開口周縁部に接する外周面を有し、
前記弁本体の前記外周面は、前記非固定状態において、前記３つ以上の部分スリットの径方向外側への延長線間に位置する部分の各々が、周方向中央部に向けて径方向外側に突出している、請求項１〜３のいずれか１項に記載の医療用弁体。
【請求項５】
開口周縁部を備えるハウジングと、
前記開口周縁部に固定される環状の固定部と前記固定部の径方向内側に位置する弾性変形可能な弁本体とを備える医療用弁体とを有し、
前記弁本体の中央部から径方向外側に向けて放射状に延びる３つ以上の部分スリットからなる放射状スリットが設けられ、
前記３つ以上の部分スリットの各々の径方向外側端部は、前記固定部が前記開口周縁部に固定される前の非固定状態においてＵ字状である、医療用コネクタ。
【請求項６】
前記放射状スリットは、前記固定部が前記ハウジングの前記開口周縁部に固定されることで閉塞される放射状の隙間を有し、
前記開口周縁部は前記弁本体に接する内周面を有し、
前記開口周縁部の前記内周面は、前記３つ以上の部分スリットの径方向外側への延長線間に位置する部分の各々が、周方向中央部に向けて径方向内側に突出している、請求項５に記載の医療用コネクタ。
【考案の詳細な説明】
【技術分野】
【０００１】
本開示は、医療用弁体及び医療用コネクタに関する。
【背景技術】
【０００２】
従来より輸液、輸血、人工透析などは、医療用チューブ等を用いて輸液ラインを形成し、この輸液ラインを通じて体内に薬液等の液体を供給することによって行われている。輸液ラインにおいて使用される医療用チューブ、シリンジ等の医療器具は、医療用コネクタを用いて互いに接続することができる。
【０００３】
特許文献１には、このような医療用コネクタとして、開口周縁部を備えるハウジングと、開口周縁部に固定される環状の固定部と固定部の径方向内側に位置する弾性変形可能な弁本体とを備える医療用弁体とを有し、弁本体の中央部から径方向外側に向けて放射状に延びる３つの部分スリットからなる放射状スリットが設けられた構成が開示されている。他の医療用コネクタの管先端部で弁本体を弾性変形させてハウジング内に押込みながら管先端部を開口周縁部内に挿入することにより、他の医療用コネクタが医療用コネクタに接続される。この接続により、放射状スリットが開いて管先端部内の流路がハウジング内の流路に連通する。
【先行技術文献】
【特許文献】
【０００４】
【特許文献１】国際公開第２０１４／０４６２７１号
【考案の概要】
【考案が解決しようとする課題】
【０００５】
特許文献１に記載される医療用弁体の放射状スリットは、放射状スリットに対応して放射状に配置された３枚の板状刃からなるカッターで弁本体に切込みを入れることにより形成されている。しかし、放射状スリットをこのように形成した場合、医療用コネクタ同士の接続と接続解除の繰返しにより、放射状スリットの径方向外側端部から裂け目が生じ易い傾向がある。裂け目が生じると、弁本体のより少ない押込みで放射状スリットが開くため、例えば、医療用コネクタ同士の接続完了前に放射状スリットが開いて外気が流路内に混入する等の問題を生じる虞がある。
【０００６】
そこで本開示は、放射状スリットの径方向外側端部から裂け目が生じ難い医療用弁体及び医療用コネクタを提供することを目的とする。
【課題を解決するための手段】
【０００７】
本開示の第１の態様としての医療用弁体は、ハウジングの開口周縁部に固定される環状の固定部と前記固定部の径方向内側に位置する弾性変形可能な弁本体とを有し、前記弁本体の中央部から径方向外側に向けて放射状に延びる３つ以上の部分スリットからなる放射状スリットが設けられ、前記３つ以上の部分スリットの各々の径方向外側端部は、前記固定部が前記開口周縁部に固定される前の非固定状態においてＵ字状である。
【０００８】
本開示の１つの実施形態として、前記放射状スリットは前記非固定状態において放射状の隙間を有する。
【０００９】
本開示の１つの実施形態として、前記放射状の隙間は、前記固定部が前記ハウジングの前記開口周縁部に固定されることで閉塞される。
【００１０】
本開示の１つの実施形態として、前記弁本体は前記ハウジングの前記開口周縁部に接する外周面を有し、前記弁本体の前記外周面は、前記非固定状態において、前記３つ以上の部分スリットの径方向外側への延長線間に位置する部分の各々が、周方向中央部に向けて径方向外側に突出している。
【００１１】
本開示の第２の態様としての医療用コネクタは、開口周縁部を備えるハウジングと、前記開口周縁部に固定される環状の固定部と前記固定部の径方向内側に位置する弾性変形可能な弁本体とを備える医療用弁体とを有し、前記弁本体の中央部から径方向外側に向けて放射状に延びる３つ以上の部分スリットからなる放射状スリットが設けられ、前記３つ以上の部分スリットの各々の径方向外側端部は、前記固定部が前記開口周縁部に固定される前の非固定状態においてＵ字状である。
【００１２】
本開示の１つの実施形態として、前記放射状スリットは、前記固定部が前記ハウジングの前記開口周縁部に固定されることで閉塞される放射状の隙間を有し、前記開口周縁部は前記弁本体に接する内周面を有し、前記開口周縁部の前記内周面は、前記３つ以上の部分スリットの径方向外側への延長線間に位置する部分の各々が、周方向中央部に向けて径方向内側に突出している。
【考案の効果】
【００１３】
本開示によれば、放射状スリットの径方向外側端部から裂け目が生じ難い医療用弁体及び医療用コネクタを提供することができる。
【図面の簡単な説明】
【００１４】
【図１】一実施形態としての医療用コネクタを示す斜視図である。
【図２】図１に示す医療用コネクタの縦断面図である。
【図３】図１に示す医療用コネクタの分解斜視図である。
【図４】図３に示す医療用弁体の上面図である。
【図５】図３に示すリングの上面図である。
【図６】図４の部分拡大図である。
【図７】図１に示す医療用コネクタの変形例を示す斜視図である。
【図８】図７に示す医療用弁体の上面図である。
【図９】図７に示すリングの上面図である。
【図１０】図１に示す医療用コネクタに他の医療用コネクタを接続したときの様子を示す縦断面図である。
【図１１】図１に示す医療用コネクタを三方活栓に適用した場合の一例を示す斜視図である。
【図１２】図１に示す医療用コネクタをプラグに適用した場合の一例を示す斜視図である。
【図１３】図１に示す医療用コネクタをＴ字形混注管に適用した場合の一例を示す斜視図である。
【考案を実施するための形態】
【００１５】
以下、図面を参照して、本開示に係る医療用弁体及び医療用コネクタの実施形態について詳細に例示説明する。
【００１６】
図１〜図２に示すように、本実施形態に係る医療用コネクタ１は、開口周縁部２を備えるハウジング３と、開口周縁部２に固定される環状の固定部４と固定部４の径方向内側に位置する弾性変形可能な弁本体５とを備える医療用弁体６とを有している。ハウジング３はハウジング本体３ａとリング３ｂとで構成されているが、これに限らない。ハウジング３と医療用弁体６とで、他の医療用コネクタ７（図１０参照）が接続されるメスコネクタが構成されている。ハウジング本体３ａとリング３ｂとはそれぞれ例えば合成樹脂で形成されている。医療用弁体６は例えばゴム又はエラストマーで形成されている。
【００１７】
他の医療用コネクタ７はロック式のオスルアーとして構成され、オスルアーの先端部である管先端部７ａと、ロック用の雌ねじ部７ｂとを有している。しかし、他の医療用コネクタ７はこれに限らず、例えば、非ロック式のオスルアーとして構成されてもよいし、オスルアー以外のオスコネクタとして構成されてもよい。つまり、医療用コネクタ１はロック式のオスルアーが接続される構成に限らず、非ロック式のオスルアーが接続される構成であってもよいし、オスルアー以外のオスコネクタが接続される構成であってもよい。
【００１８】
ハウジング３の開口周縁部２は、弁本体５に接する内周面８を有している。弁本体５は、開口周縁部２に接する外周面９を有している。弁本体５は、他の医療用コネクタ７の管先端部７ａが押付られる上面１０と、上面１０の反対側に位置する下面１１とを有している。ハウジング３は、弁本体５の下面１１よりも下方に位置する下側内周面１２を有している。下側内周面１２は流路Ｐを区画している。
【００１９】
弁本体５の上面視中央部には、上面１０への他の医療用コネクタ７の管先端部７ａの押付によって上面１０と下面１１との間に亘って開口する放射状スリット１３が設けられている。放射状スリット１３は上面視で弁本体５の中央部から径方向外側に向けて放射状に延びる３つの部分スリット１４からなる上面視略Ｙ字形状である。なお、３つの部分スリット１４は等角に放射状に延びているが、これに限らない。また、放射状スリット１３は３つの部分スリット１４からなるものに限らず、４つ以上の部分スリット１４からなるものであってもよい。弁本体５は、固定部４がハウジング３の開口周縁部２に固定された固定状態において、中心軸線Ｏを中心とする略円板状であり、放射状スリット１３は中心軸線Ｏから径方向外側に向けて放射状に延びている。弁本体５の外周縁部には固定部４が連結している。
【００２０】
本実施形態において上下方向とは中心軸線Ｏに沿う方向を意味し、上方とは下面１１から上面１０に向かう方向を意味し、下方とはその反対方向を意味している。
【００２１】
固定部４は、弁本体５の上面１０の外周縁部に沿って延びる上部環状溝１５と、弁本体５の下面１１の外周縁部に沿って延びる下部環状溝１６とを有している。したがって、弁本体５の外周面９は、上部環状溝１５の径方向内側の側面で構成されている。しかし、固定部４の形状はこれに限らない。
【００２２】
固定部４の上面は、弁本体５の上面１０よりも下方に位置している。しかし、固定部４の上面の位置はこれに限らない。固定部４の下面は、弁本体５の下面１１と同等の高さに位置している。しかし、固定部４の下面の位置はこれに限らない。
【００２３】
ハウジング本体３ａは、中心軸線Ｏを中心とする筒状の周壁１７を有している。周壁１７の外周面には、他の医療用コネクタ７の雌ねじ部７ｂに螺合する雄ねじ部１８が設けられている。しかし、医療用コネクタ１は雄ねじ部１８を有するものに限らない。
【００２４】
周壁１７の内周面には、固定部４が配置される段部１９が設けられている。段部１９は、固定部４の外周面と対向する段部内周面１９ａと、この段部内周面１９ａの下端部に連なるとともに固定部４の下面と対向する段部下面１９ｂとで構成されている。段部下面１９ｂの内周縁部には、上方に突出するとともに中心軸線Ｏを中心とする環状の下部環状突部２０が設けられている。下部環状突部２０の上端部は、医療用弁体６の下部環状溝１６内に喰込んでいる。しかし、下部環状突部２０の上端部を下部環状溝１６内に喰込ませない構成としてもよい。
【００２５】
リング３ｂは弁本体５の上面１０と同等の高さに位置する上面を備える上面視円環状の頂壁２１を有している。頂壁２１の内周縁部には、下方に突出するとともに中心軸線Ｏを中心とする環状の上部環状突部２２が設けられている。上部環状突部２２の下端部は、医療用弁体６の上部環状溝１５内に喰込んでいる。しかし、上部環状突部２２の下端部を上部環状溝１５内に喰込ませない構成としてもよい。頂壁２１の外周縁部における下面は、固定部４の上面と対向している。頂壁２１の外周縁部における上面には、ハウジング本体３ａの周壁１７の上端部に設けられた内向きフランジ２３が配置される環状段部２４が設けられている。
【００２６】
周壁１７の上端部は医療用弁体６及びリング３ｂをハウジング本体３ａに組付る前は、図３に示すように円筒状に形成されている。これらの組付の際、具体的には、超音波溶着などの適宜の手段により周壁１７の上端部がリング３ｂに溶着される際に、内向きフランジ２３が形成される。
【００２７】
このように、ハウジング３の開口周縁部２は、リング３ｂによって構成されている。また、ハウジング３の開口周縁部２の内周面８は、頂壁２１の内周面と上部環状突部２２の内周面とで構成されている。しかし、開口周縁部２はリング３ｂによって構成されるものに限らない。例えば、ハウジング３を下部環状突部２０を一体に備える内側部材と、リング３ｂを一体に備える外側部材とで構成してもよい。
【００２８】
図１０に示すように、固定部４は、弁本体５が他の医療用コネクタ７の管先端部７ａによって流路Ｐ内に押込まれたときでも、下部環状突部２０及び上部環状突部２２によって開口周縁部２に保持される。しかし、例えば接着剤など、下部環状突部２０及び上部環状突部２２以外の手段によって固定部４を開口周縁部２に保持する構成としてもよい。
【００２９】
図４に示すように、本実施形態では、放射状スリット１３の３つの部分スリット１４の各々の径方向外側端部１４ａは、固定部４が開口周縁部２に固定される前の非固定状態において上面視でＵ字状である。すなわち、３つの部分スリット１４の各々の径方向外側端部１４ａは、非固定状態において上面視で径方向外側に向けて突出するように湾曲する曲線からなっている。また、放射状スリット１３は非固定状態において放射状の隙間Ｇを有している。なお、放射状スリット１３は非固定状態において放射状の隙間Ｇを有するものに限らず、例えば、放射状スリット１３が非固定状態において中央部のみで閉じていてもよい。
【００３０】
このような形状の放射状スリット１３を有する医療用弁体６は、放射状スリット１３の形状に対応するコアを有する金型を用いた射出成形によって形成してもよいし、射出成形後に放射状スリット１３をカッターやポンチ等の刃物によって後加工することによって形成してもよいし、その他の方法によって形成してもよい。刃物を用いる場合は、部分スリット１４の径方向外側端部１４ａの形状に対応するＵ字状の刃先を有するものを用いて弁本体５の一部を切抜くことで、部分スリット１４の径方向外側端部１４ａの形状を形成することができる。
【００３１】
このように、３つの部分スリット１４の各々の径方向外側端部１４ａを非固定状態においてＵ字状に形成することにより、医療用コネクタ１への他の医療用コネクタ７の接続と接続解除を繰返すうちに放射状スリット１３の径方向外側端部１４ａから裂け目が生じることを抑制することができる。したがって、医療用コネクタ１への他の医療用コネクタ７の接続完了前に放射状スリット１３が開いて外気が流路Ｐ内に混入する等の問題の発生を抑制することができる。このような効果をより確実に得るためには、非固定状態において上面視で、３つの部分スリット１４の各々の径方向外側端部１４ａの幅Ｗ（図６参照）が、０．１ｍｍ以上であることが好ましい。
【００３２】
また、本実施形態では、医療用コネクタ１は、放射状スリット１３の隙間Ｇが、医療用弁体６の固定部４がハウジング３の開口周縁部２に固定されることで閉塞されるように構成されている。より具体的に、弁本体５の外周面９は、非固定状態において、上面視で、３つの部分スリット１４の径方向外側への延長線Ｌ間に位置する部分９ａの各々が、周方向中央部に向けて径方向外側に突出している。一方、開口周縁部２の内周面８、つまりリング３ｂの内周面は、図５に示すように上面視円形状である。
【００３３】
したがって、弁本体５を開口周縁部２内に組付ける際に、開口周縁部２の内周面８により、弁本体５の外周面９の部分９ａの各々における径方向外側に突出した部分を径方向内側に押込むことで、放射状スリット１３の隙間Ｇを閉塞することができる。
【００３４】
このような構成に代えて、例えば、図７〜図９に示すように開口周縁部２の内周面８と弁本体５の外周面９との形状を入替えた構成を採用してもよい。すなわち、図７〜図９に示す変形例では、開口周縁部２の内周面８は、固定状態において、上面視で、３つの部分スリット１４の径方向外側への延長線Ｌ間に位置する部分８ａの各々が、周方向中央部に向けて径方向内側に突出している。一方、弁本体５の外周面９は、非固定状態において上面視円形状である。
【００３５】
したがって、弁本体５を開口周縁部２内に組付ける際に、開口周縁部２の内周面８の部分８ａの各々における径方向内側に突出した部分により、弁本体５の外周面９を径方向内側に押込むことで、放射状スリット１３の隙間Ｇを閉塞することができる。なお、図７〜図９において図１〜図６に示す要素に対応する要素に同一の符号を付している。
【００３６】
医療用コネクタ１は、種々の医療器具を構成することができる。例えば、医療用コネクタ１は図１１に示すような三方活栓２５や、図１２に示すようなプラグ２６や、図１３に示すようなＴ字形混注管２７などを構成することができる。
【００３７】
なお、上述した実施形態では、下部環状突部２０、上部環状突部２２及び固定部４が周方向に亘って連続して延びているが、これに限らず、例えば、下部環状突部２０と上部環状突部２２との一方又は両方が周方向に亘って断続して延びていてもよいし、固定部４が周方向に亘って断続して延びていてもよい。
【符号の説明】
【００３８】
１    医療用コネクタ
２    開口周縁部
３    ハウジング
３ａ  ハウジング本体
３ｂ  リング
４    固定部
５    弁本体
６    医療用弁体
７    他の医療用コネクタ
７ａ  管先端部
７ｂ  雌ねじ部
８    開口周縁部の内周面
８ａ  開口周縁部の内周面における延長線間に位置する部分
９    弁本体の外周面
９ａ  弁本体の外周面における延長線間に位置する部分
１０    弁本体の上面
１１    弁本体の下面
１２    下側内周面
１３    放射状スリット
１４    部分スリット
１４ａ  径方向外側端部
１５    上部環状溝
１６    下部環状溝
１７    周壁
１８    雄ねじ部
１９    段部
１９ａ  段部内周面
１９ｂ  段部下面
２０    下部環状突部
２１    頂壁
２２    上部環状突部
２３    内向きフランジ
２４    環状段部
２５    三方活栓
２６    プラグ
２７    Ｔ字形混注管
Ｐ    流路
Ｏ    中心軸線
Ｇ    隙間
Ｗ    部分スリットの径方向外側端部の幅
Ｌ    延長線
【図１】
0003224170.tif 000003
【図２】
0003224170.tif 000004
【図３】
0003224170.tif 000005
【図４】
0003224170.tif 000006
【図５】
0003224170.tif 000007
【図６】
0003224170.tif 000008
【図７】
0003224170.tif 000009
【図８】
0003224170.tif 000010
【図９】
0003224170.tif 000011
【図１０】
0003224170.tif 000012
【図１１】
0003224170.tif 000013
【図１２】
0003224170.tif 000014
【図１３】
0003224170.tif 000015